(57)【要約】【課題】  親機の動作状態に応じて調節器の機能を制限し、誤調節を未然に防止し、スピーカやモニターの出力を正しく調節する。【解決手段】  このテレビドアホンシステム１では、親機２が玄関子機３からの呼出しを待受け、呼出時にスピーカ１７から呼出音が発生し、通話期間中にスピーカ１７から受話音が発生する。親機２は、モニター２０の明るさを調節する明るさ調節ノブ２７と、スピーカ１７の呼出音及び受話音の音量を調節する音量調節ノブ２８とを装備している。ＣＰＵ１１は、明るさ調節量に基づいてモニター２０の輝度を制御し、呼出音及び受話音の調節量に基づいてスピーカ１７の出力を制御する。また、ＣＰＵ１１は、待受け期間中に、呼出音の調節量を有効化し、明るさと受話音の調節量を無効化する。呼出期間中は、明るさ調節量を有効化し、呼出音と受話音の調節量を無効化する。通話期間中は、明るさと受話音の調節量を有効化し、呼出音の調節量を無効化する。【選択図】        図１
2011035585.tif 000002
【特許請求の範囲】
【請求項１】
親機が玄関子機からの呼出しを待受け、呼出時にスピーカから呼出音を発生し、通話期間中に前記スピーカから受話音を発生し、前記呼出音及び前記受話音の音量を調節する音量調節器を装備したドアホンシステムにおいて、
前記親機は、前記呼出音及び受話音の調節量に基づいて前記スピーカの出力を制御する制御部を備え、前記制御部は、前記呼出音の調節量を前記待受け期間中に有効化し、前記通話期間中に無効化するとともに、前記受話音の調節量を前記通話期間中に有効化し、前記待受け期間中に無効化する制御を行うことを特徴とするドアホンシステム。
【請求項２】
前記親機は、前記玄関子機のカメラが撮像した映像を表示するモニターと、前記モニターの明るさを調節する明るさ調節器とを備え、前記制御部は、前記明るさの調節量に基づいて前記モニターの輝度を制御するとともに、前記明るさの調節量を前記通話期間中に有効化し、前記待受け期間中に無効化する制御を行うことを特徴とする請求項１記載のドアホンシステム。
【請求項３】
前記制御部は、前記呼出音の調節量、前記受話音の調節量及び前記明るさの調節量を前記モニターに区別して表示させる制御を行うことを特徴とする請求項２記載のドアホンシステム。
【請求項４】
前記制御部は、前記待受け期間中に前記音量調節器が操作されたときに、前記モニターを点灯させる制御を行うことを特徴とする請求項３記載のドアホンシステム。
【請求項５】
前記音量調節器は、前記呼出音量と前記受話音量とを選択的に調節する一つの操作部材を含むことを特徴とする請求項１〜４の何れか一項に記載のドアホンシステム。
【発明の詳細な説明】
【技術分野】
【０００１】
本発明は、親機と玄関子機が通話を行うドアホンシステムに関し、詳しくは、親機のスピーカの音量やモニターの明るさを調節する機能を備えたドアホンシステムに関する。
【背景技術】
【０００２】
この種の調節機能を備えたドアホンシステムとして、従来、図６に示すような技術が知られている。このテレビドアホンシステム１０１では、親機１０２と玄関子機１０３とが伝送線Ｌで接続されている。来訪者が玄関子機１０３の呼出ボタン１０４を操作すると、親機１０２が居住者を呼び出すための呼出音をスピーカ１０５から発生し、玄関子機１０３がカメラ１０６で来訪者を撮像し、親機１０２が玄関子機１０３から受信した来訪者の映像をモニター１０７に表示する。
【０００３】
居住者が親機１０２の通話ボタン１０８を操作すると、居住者の音声が親機１０２から玄関子機１０３に送られ、来訪者の音声が玄関子機１０３から親機１０２に送られ、親機１０２のスピーカ１０５が受話音を発生し、これにより、親機１０２と玄関子機１０３との通話が成立する。そして、親機１０２の側面に、スピーカ１０５からの呼出音量を調節するための呼出音量ＶＲ１０９、受話音量を調節するための受話音量ＶＲ１１０、及び、モニター１０７の明るさを調節するための明るさＶＲ１１１が配設されている。
【０００４】
なお、特許文献１には、夜間等に呼出音や受話音が発生しないように、親機のスピーカを無音状態に設定する機能を備えたドアホンシステムが記載されている。
【先行技術文献】
【特許文献】
【０００５】
【特許文献１】特開２００７−８８７５６号公報
【発明の概要】
【発明が解決しようとする課題】
【０００６】
ところが、従来のドアホンシステム１０１によると、３種類のＶＲ１０９，１１０，１１１が親機１０２の一箇所に集めて配置され、呼出音、受話音、明るさを随時に調節できるようになっているので、居住者が意図しない調節器を誤って操作し、現在の調節量を不必要に変えてしまい、親機１０２のスピーカ１０５やモニター１０７の出力に異常を来たすという問題点があった。
【０００７】
例えば、受話音量を調節するつもりで呼出音量ＶＲ１０９を操作してしまい、次回の呼出時に、スピーカ１０５が大音量の呼出音を発生したり、無音状態になったりすることがあった。逆に、呼出音量を調節するつもりで受話音量ＶＲ１１０を操作し、次回の通話時に、受話音に過不足が生じることもあった。あるいは、音量を調節つもりで明るさＶＲ１１１を操作した結果、次回の呼出又は通話時に、モニター１０７の映像が見にくくなることもあった。
【０００８】
また、従来のドアホンシステム１０１では、調節対象と同じ数のＶＲ１０９〜１１１を設けているので、親機１０２の部品点数が増えるばかりでなく、操作が煩雑で誤調節を招く要因ともなっていた。しかも、調節量をＶＲ１０９〜１１１の回転位置に基づいて設定しているため、誤って操作した場合に、元の調節量に戻すときに手間がかかるという問題点もあった。
【０００９】
本発明の目的は、上記課題を解決し、親機の動作状態に応じて調節器の機能を制限し、誤調節を未然に防止し、スピーカやモニターの出力を正しく調節できるドアホンシステムを提供することにある。
【課題を解決するための手段】
【００１０】
上記課題を解決するために、本発明は、親機が玄関子機からの呼出しを待受け、呼出時にスピーカから呼出音を発生し、通話期間中にスピーカから受話音を発生し、呼出音及び受話音の音量を調節する音量調節器を装備したドアホンシステムにおいて、次のような手段を提供する。
【００１１】
（１）親機が呼出音及び受話音の調節量に基づいてスピーカの出力を制御する制御部を備え、制御部が呼出音の調節量を待受け期間中に有効化し、通話期間中に無効化するとともに、受話音の調節量を通話期間中に有効化し、待受け期間中に無効化する制御を行うことを特徴とするドアホンシステム。
【００１２】
（２）親機に玄関子機のカメラが撮像した映像を表示するモニターと、モニターの明るさを調節する明るさ調節器とを設け、制御部が明るさの調節量に基づいてモニターの輝度を制御するとともに、明るさの調節量を通話期間中に有効化し、待受け期間中に無効化する制御を行うことを特徴とする（１）に記載のドアホンシステム。
【００１３】
（３）制御部が呼出音の調節量、受話音の調節量及び明るさの調節量をモニターに区別して表示させる制御を行うことを特徴とする（２）に記載のドアホンシステム。
【００１４】
（４）制御部が待受け期間中に音量調節器が操作されたときに、モニターを点灯させる制御を行うことを特徴とする（３）に記載のドアホンシステム。
【００１５】
（５）音量調節器が呼出音及び受話音の音量を選択的に調節する一つの操作部材を備えたことを特徴とする（１）〜（４）の何れか一つに記載のドアホンシステム。
【発明の効果】
【００１６】
上記（１）のドアホンシステムによれば、通話期間中に呼出音の調節量を無効化し、待受け期間中に受話音の調節量を無効化するので、音量調節器による誤調節を未然に防止し、スピーカの出力を正しく調節できるという効果がある。
【００１７】
上記（２）のドアホンシステムによれば、待受け期間中にモニターの明るさ調節量を無効化するので、明るさ調節器による誤調節を未然に防止し、モニターの輝度を正しく調節できるという効果がある。
【００１８】
上記（３）のドアホンシステムによれば、呼出音の調節量、受話音の調節量及び明るさ調節量をモニターに区別して表示するので、調節対象を誤認することなく、現在の調節量を確認したうえで、所望値に正しく簡単に調節できるという効果がある。
【００１９】
上記（４）のドアホンシステムによれば、待受け期間中に音量調節器が操作されたときに、モニターが自動的に点灯するので、特に、呼出音量をモニターの表示に従って正しく簡単に調節できるという効果がある。
【００２０】
上記（５）のドアホンシステムによれば、一つの操作部材で呼出音量と受話音量とを選択的に調節するので、親機の部品点数を削減できるとともに、操作を簡略化し、誤調節を確実に防止できるという効果がある。
【図面の簡単な説明】
【００２１】
【図１】本発明の一実施形態を示すテレビドアホンシステムのブロック図である。
【図２】音量調節器及び明るさ調節器を示す親機の外観図である。
【図３】音量及び明るさの調節方法を示す説明図である。
【図４】音量及び明るさの調節画面を例示するモニターの正面図である。
【図５】調節方法の別の実施例を示す説明図である。
【図６】従来のドアホンシステムを示す親機及び玄関子機の外観図である。
【発明を実施するための形態】
【００２２】
以下、本発明の実施形態を図面に基づいて説明する。まず、図１に基づいてテレビドアホンシステムの全体的な構成について概説する。このテレビドアホンシステム１は、親機２と玄関子機３を伝送線Ｌで接続し、親機２のＣＰＵ１１の制御のもとで、親機２と玄関子機３が双方向の通話を行うように構成されている。玄関子機３には、従来と同様（図６参照）、親機２を呼び出す呼出ボタン１０４、来訪者を撮像するカメラ１０６、子機スピーカ１１２及び子機マイク１１３が設けられている。
【００２３】
来訪者が呼出ボタン１０４を操作すると、呼出信号が玄関子機３から親機２の入出力信号処理部１２、制御Ｉ／Ｆ１３を介してＣＰＵ１１に入力され、ＣＰＵ１１が記憶部１４から読み出した呼出音調節量に基づいて呼出音発生部１５とスピーカアンプ１６を制御し、スピーカ１７が呼出音を発生する。また、カメラ１０６の映像信号が入出力信号処理部１２、映像Ｉ／Ｆ１８を介してモニター駆動部１９に入力され、ＣＰＵ１１が記憶部１４から読み出した明るさ調節量に基づいてモニター駆動部１９を制御し、モニター２０（液晶ディスプレイ）が来訪者の映像を表示する。
【００２４】
居住者が親機２の通話ボタン２１を操作すると、マイク２２が居住者の音声を集音し、マイクアンプ２３で増幅された音声が通話Ｉ／Ｆ２４、入出力信号処理部１２を経由して子機スピーカ１１２から出力される。また、子機マイク１１３が捕集した来訪者の音声は、入出力信号処理部１２、通話Ｉ／Ｆ２４を経由してスピーカアンプ１６に入力され、ＣＰＵ１１が記憶部１４から読み出した受話音調節量に基づいてスピーカアンプ１６を制御し、スピーカ１７が受話音を出力し、これにより、親機２と玄関子機３との通話が成立する。
【００２５】
図２に示すように、モニター２０は親機ケーシング２ａの前面上部に設けられ、モニター２０の横にマイク２２が設けられ、モニター２０の下側にスピーカ１７が配置されている。スピーカ１７の下側には、モニター２０をＯＮ／ＯＦＦするモニターボタン２５と、通話を開始する通話ボタン２１と、その通話を終了する終話ボタン２６とが配設されている。そして、親機ケーシング２ａの側面に、モニター２０の明るさを調節する明るさ調節ノブ２７と、スピーカ１７の呼出音量及び受話音量を調節する音量調節ノブ２８とが設けられている。
【００２６】
次に、明るさ及び音量を調節するための構成と方法について詳述する。図３に示すように、明るさ調節ノブ２７及び音量調節ノブ２８は、共に親機ケーシング２ａに対して出没自在かつ回動可能に設けられている。明るさ調節ノブ２７には、ＣＰＵ１１の制御プログラムによって明るさ調節機能が割り当てられ、調節対象がノブ２７の押下げによりモニター２０の明るさに決定され、モニター２０の輝度がノブ２７の上回転に伴って明るく変化し、下回転に伴って暗く変化し、輝度の変化がモニター２０の画面に明暗スケール２９（図４ａ参照）で表示され、表示値に相当する明るさ調節量が記憶部１４に記憶される。
【００２７】
音量調節ノブ２８には、制御プログラムによって音量調節機能が割り当てられ、このノブ２８がスピーカ１７の呼出音量と受話音量を選択的に調節する操作部材として動作する。そして、調節対象がノブ２８の押下げにより呼出音量に選択され、ノブ２８の再押下げにより受話音量に選択され、スピーカ１７の音量がノブ２８の上回転に伴って大きく変化し、下回転に伴って小さく変化し、音量の変化がモニター２０の画面に音量スケール３０，３１（図４ｂ，ｃ参照）で表示され、表示値に相当する呼出音調節量及び受話音調節量が記憶部１４に記憶される。
【００２８】
親機２の制御部であるＣＰＵ１１は、親機２の動作状態に応じて、明るさ調節ノブ２７と音量調節ノブ２８の調節機能を制限する。すなわち、図３の「調節スケジュール表」に示すように、明るさ調節が必要となる親機２の動作状態は、モニター２０が来訪者の映像を表示する時期、つまり呼出期間中と通話期間中である。受話音量の調節が必要となる動作状態は、スピーカ１７から来訪者の音声を聞き取る時期、つまり通話期間中である。呼出音量の調節が必要となる動作状態は、呼出音を聞き、音量に過不足を感じ、これを変更しようとする時期、通常は、次回の呼び出しを待ち受けている待受け期間中である。
【００２９】
以上の相関に基づいて、ＣＰＵ１１は、明るさ調節ノブ２７による明るさ調節量を呼出期間中と通話期間中に有効化し（表中の○印）、待受け期間中に無効化する（表中の×印）。音量調節ノブ２８による呼出音調節量は、待受け期間中に有効化され、呼出期間中と通話期間中に無効化される。音量調節ノブ２８による受話音調節量は、通話期間中に有効化され、待受け期間中と呼出期間中に無効化される。
【００３０】
なお、呼出期間中における有効／無効の制御は、図３のスケジュール表に限定されず、親機２の設置条件や使用状況に合わせて任意に変更することができる。例えば、呼出期間中は居住者の調節時間が限られている点を考慮し、明るさ調節を無効としてもよい。呼出時の静寂を保つために、呼出音量の調節を有効としてもよい。また、受話音量の調節を有効とし、通話を開始する前に受話音量を予め好みの大きさに調節できるようにしてもよい。
【００３１】
続いて、明るさ及び音量の調節方法をより具体的に説明する。親機２の待受期間中は、明るさの調節が無効であるから、明るさ調節ノブ２７を押し下げても、モニター２０が点灯せず、ノブ２７を回転しても、記憶部１４に記憶されている明るさ調節量は変化しない。音量調節ノブ２８は、呼出音量と受話音量の調節に割り当てられているが、受話音量の調節は無効であり、呼出音量の調節のみが有効である。このため、音量調節ノブ２８で受話音量を誤って調節するおそれがなく、スピーカ１７の受話音を現在の最適値に保持できる。
【００３２】
呼出音量の調節にあたり、音量調節ノブ２８を押し下げると、ＣＰＵ１１がノブ２８の押下げを検出し、モニター２０を点灯させる。このため、居住者はモニター２０の表示に従って呼出音量を容易に調節することができる。すなわち、図４（ｂ）に示すように、モニター２０の画面に音量スケール３０と識別文字「呼出音量」が表示される。音量調節ノブ２８を上方へ回すと、音量スケール３０が小から大に変化し、記憶部１４の呼出音調節量が増加する。また、ノブ２８を下方へ回すと、音量スケール３０が大から小に変化し、記憶部１４の呼出音調節量が減少する。
【００３３】
このとき、モニター２０の画面に識別文字「呼出音量」を表示して、呼出音の調節モードを受話音及び明るさの調節モードと区別するので、居住者が調節対象を誤認するおそれがなく、不必要な調節を未然に排除しておくことができる。また、モニター２０の画面に呼出音量を示す音量スケール３０が表示されるので、居住者は現在の調節量を確認したうえで、所望する呼出音量を正しく簡単に調節することができる。
【００３４】
親機２の呼出期間中は、モニター２０が点灯し、画面に来訪者の映像を表示している。明るさ調節ノブ２７を押下げると、図４（ａ）に示すように、モニター２０の画面に明るさを示す明暗スケール２９と、現調節モードを他と区別する文字「明るさ」とが来訪者の映像に重ねて表示される。そして、ノブ２７を上方へ回すと、明暗スケール２９が暗から明に変化し、記憶部１４の明るさ調節量が増加し、ノブ２７を下方へ回すと、明暗スケール２９が明から暗に変化し、記憶部１４の明るさ調節量が減少する。
【００３５】
この呼出期間中は、呼出音量と受話音量の調節が共に無効であるから、音量調節ノブ２８を回しても、記憶部１４の音量調節量は変化しない。したがって、音量調節ノブ２８による呼出音量及び受話音量の誤調節を未然に防止し、スピーカ１７の出力を現在値に保つことができる。
【００３６】
親機２の通話期間中は、明るさ調節ノブ２７により呼出期間中と同じ方法でモニター２０の明るさを調節し、音量調節ノブ２８でスピーカ１７の受話音量を調節する。音量調節ノブ２８を押下げると、図４（ｃ）に示すように、モニター２０の画面に受話音量を示す音量スケール３１と、現調節モードを他と区別する文字「受話音量」が来訪者の映像に重ねて表示される。音量調節ノブ２８を上方へ回すと、音量スケール３１が小から大に変化し、記憶部１４の受話音調節量が増加し、ノブ２８を下方へ回すと、音量スケール３１が大から小に変化し、記憶部１４の受話音調節量が減少する。この通話期間中は、呼出音量の調節が無効であるから、音量調節ノブ２８による呼出音量の誤調節を未然に防止できる。
【００３７】
図５は、明るさ及び音量の別の調節方法を示す。この実施例では、一つの調節ノブ４１に明るさ、呼出音、受話音の３つの調節機能が割り当てられ、上記実施例と同じ調節スケジュールで有効／無効が制御される。親機２の待受け期間中は、調節ノブ４１を押し下げ、呼出音量の調節を選択し、上記実施例と同様に操作し、モニター２０を点灯させ、モニター２０の画面に音量スケール３０と識別文字「呼出音量」を表示し（図４ｂ参照）、記憶部１４の呼出音調節量を増減させる。
【００３８】
親機２の呼出期間中は、調節ノブ４１を押し下げ、明るさ調節を選択し、モニター２０の画面に明暗スケール２９と識別文字「明るさ」を来訪者の映像に重ねて表示し（図４a参照）、記憶部１４の明るさ調節量を増減させる。親機２の通話期間中は、調節ノブ４１を押し下げ、明るさ調節と受話音量調節を交互に選択し、モニター２０の画面に明暗スケール２９又は音量スケール３１と、識別文字「明るさ」又は「受話音量」を来訪者の映像に重ねて表示し（図４ａ，４ｃ参照）、記憶部１４の明るさ調節量又は受話音調節量を増減させる。この調節方法によれば、単一の操作部材４１で３つの調節対象を誤調節なく簡単に調節することができる。
【００３９】
なお、上記実施形態では、明るさ及び音量の調節器として回転式のノブ２７，２８，４１を例示したが、これにかえ、スライド式のスイッチを使用することもできる。また、スイッチ以外にも、複数の調節対象を選択する機能と、調節量を増減させる機能とを備えた各種の調節部材を使用することも可能である。その他、本発明は、上記実施形態に限定されるものではなく、発明の趣旨を逸脱しない範囲で、各部の構成又は調節手順を適宜に変更して実施することも可能である。
【符号の説明】
【００４０】
１    テレビドアホンシステム
２    親機
３    玄関子機
１１    親機の制御部であるＣＰＵ
１７    スピーカ
２０    モニター
２７    明るさ調節ノブ
２８    音量調節ノブ
４１    調節ノブ
【図１】
2011035585.tif 000003
【図２】
2011035585.tif 000004
【図３】
2011035585.tif 000005
【図４】
2011035585.tif 000006
【図５】
2011035585.tif 000007
【図６】
2011035585.tif 000008